(57)【特許請求の範囲】
【請求項１】
ディスク状記録媒体に光学的に情報を記録再生するために光スポットを収束させるレンズを保持するレンズホルダー、
前記レンズホルダーを前記ディスク状記録媒体のトラッキング方向とフォーカス方向に変位可能に支持する支持手段、
前記支持手段の一端を固定保持するサスペンションホルダー、
前記サスペンションホルダーを固定した固定ベース、
前記固定ベースに設けられ、前記レンズホルダーを取り囲むよう配置されたフレーム、及び
前記レンズホルダーの前記ディスク状記録媒体と対向する面を覆うよう配置され、前記フレームに保持されるアクチュエータカバー、
を備えた光ヘッドアクチュエータであって、
前記アクチュエータカバーの対向するそれぞれの位置に複数の保持片が設けられ、前記保持片の内、一方の対角の位置の少なくとも２つの保持片に前記アクチュエータカバー側の内側に球面状に突出する保持片突起を有し、他方の対角の位置の少なくとも２つの保持片に保持片嵌合孔を有しており、
前記保持片の前記保持片突起に対応する前記フレームの位置に前記保持片突起が嵌合し前記保持片突起の外径より小さいフレーム嵌合孔を有し、前記保持片の前記保持片嵌合孔に対応する前記フレームの位置に前記保持片嵌合孔に嵌合するフレーム突起を有していることを特徴とする光ヘッドアクチュエータ。
【請求項２】
前記アクチュエータカバーが弾性体で形成され、前記保持片が弾性力により前記フレームを挟着するよう構成されたことを特徴とする請求項１に記載の光ヘッドアクチュエータ。
【請求項３】
前記アクチュエータカバーの保持片に外側に湾曲した湾曲部を設けたことを特徴とする請求項１又は２に記載の光ヘッドアクチュエータ。
【発明の詳細な説明】
【０００１】
【発明の属する技術分野】
本発明は、ディスク状記録媒体に光学的に情報を記録再生する情報記録再生装置に用いられる光ヘッドアクチュエータに関する。
【０００２】
【従来の技術】
以下、従来の光ヘッドアクチュエータについて図５を参照しつつ説明する。図５は、従来の光ヘッドアクチュエータを示す分解斜視図である。
図５において、固定ベース１にはサスペンションホルダー４、フレーム９、及び２つのマグネット８ａ、８ｂが装着固定されていた。レンズホルダー３は、サスペンションホルダー４に一端が固定された４本のサスペンションワイヤ５により変位可能に支持されている。また、レンズホルダー３には、ディスク状記録媒体に光学的に情報を記録再生するための光出力を収束させるレンズ２が装着されるとともに、フォーカスコイル６、トラッキングコイル７が巻装されている。フォーカスコイル６及びトラッキングコイル７に電流を流すことにより、マグネット８ａ、８ｂの磁界との相互作用により、レンズホルダー３をそれぞれフォーカス方向とトラッキング方向へ変位させる駆動部が形成されていた。
【０００３】
また、磁界による外部からの鉄粉等の吸着や作業中のドライバー等の鉄製品の接触等による事故を防ぐため、レンズホルダー３の駆動部は、その側面がフレーム９により囲まれており、また駆動部におけるディスク状記録媒体に対向する面（図５における上面）にはアクチュエータカバー１０が取り付けられて、駆動部は被覆されていた。アクチュエータカバー１０は、レンズホルダー３の一部と当接するように構成されており、フォーカス方向の変位に対する移動量を制限していた。アクチュエータカバー１０はフレーム９に装着できるよう構成されており、アクチュエータカバー１０に形成した４つの保持片１０ａの先端を折り曲げることによりフレーム９の切欠部９ａに引っかけて固定させていた。
【０００４】
【発明が解決しようとする課題】
しかしながら、従来の光ヘッドアクチュエータにおけるアクチュエータカバー１０の構成では、フレーム９への取り付け作業が容易になるよう保持片１０ａを広げてアクチュウエータカバー１０を保持片が挿入しやすく形成すると、保持片１０ａが衝撃等で変形して外れやすかった。従って、光ヘッドアクチュウエータに対して落下等の衝撃が加わってアクチュエータカバー１０が外れた場合、レンズホルダー３の上部位置を規制するものがなくなり、最悪の場合にはサスペンションワイヤ５が大きく変形して、特性が悪化するという問題があった。
また、アクチュエータカバー１０が外れて他の部品と接触した場合には、装置自体が動作しなくなるという問題があった。
このような問題を解決すべく耐衝撃性を高めるためには、アクチュエータカバー１０の保持片１０ａの先端部分に形成された折り曲げ部の寸法を大きくする必要があった。しかし、このような対処では組立性が悪くなり、作業能率が悪化するという問題があった。そこで、組立性を重視し、且つ、耐衝撃性を高めるためには、アクチュエータカバー１０をフレーム９へ接着剤等で固着するのが一般的であるが、このような接着剤を用いる固着方法では自動組立化を図る上で大きな障害となっていた。
【０００５】
さらに、昨今の光記録再生装置は、小型化されてポータブル型のものが普及し、携帯して使用されることが多くなってきている。そのため、防塵だけでなく、より耐衝撃性を有する装置の要求が高まっている。
また、据置用の光記録再生装置においても、輸送時等のコスト低減のため包装が簡易になっている。このような簡易な包装で輸送されるようなっているため、耐衝撃性を向上させることは重要な課題であった。
さらに、光記録再生装置の製造工程における自動組立化においても、組立性の改善、及び性能に悪影響を及ぼす振動に対する制振性の改善に対する要求が高まっている。
【０００６】
本発明は、従来の光ヘッドアクチュエータにおける問題点を解消するとともに従来における要求を満たすことができ、優れた組立性と耐衝撃性を有する光ヘッドアクチュエータを提供することを目的とする。
【０００７】
【課題を解決するための手段】
上記目的を達成するため、本発明に係る光ヘッドアクチュエータは、ディスク状記録媒体に光学的に情報を記録再生するために光スポットを収束させるレンズを保持するレンズホルダーと、
前記レンズホルダーを前記ディスク状記録媒体のトラッキング方向とフォーカス方向に変位可能に支持する支持手段であるサスペンションワイヤと、
前記支持手段の一端を固定保持するサスペンションホルダーと、
前記サスペンションホルダーを固定した固定ベースと、
前記固定ベースに設けられ、前記レンズホルダーを取り囲むよう配置されたフレームと、
前記レンズホルダーの前記ディスク状記録媒体と対向する面を覆うよう配置され、前記フレームに保持されるアクチュエータカバーとを備えた光ヘッドアクチュエータであって、
前記アクチュエータカバーの対向するそれぞれの位置に複数の保持片が設けられ、前記保持片の内、一方の対角の位置の少なくとも２つの保持片に前記アクチュエータカバー側の内側に球面状に突出する保持片突起を有し、他方の対角の位置の少なくとも２つの保持片に保持片嵌合孔を有しており、
前記保持片の前記保持片突起に対応する前記フレームの位置に前記保持片突起が嵌合し前記保持片突起の外径より小さいフレーム嵌合孔を有し、前記保持片の前記保持片嵌合孔に対応する前記フレームの位置に前記保持片嵌合孔に嵌合するフレーム突起を有している。
【０００８】
上記のように構成された本発明の光ヘッドアクチュエータによれば、アクチュエータカバーの保持片に設けた保持片突起と保持片嵌合孔がフレームの対応する位置に設けたフレーム嵌合孔とフレーム突起にそれぞれ確実に嵌合して組み立てられ、保持片を大きく変形させずに確実にアクチュエータカバーをフレームに固定することができ、衝撃によりアクチュエータカバーがフレームから外れることがなく、かつ組立性が良好となる。
【０００９】
また、本発明に係る光ヘッドアクチュエータは、前記アクチュエータカバーが弾性体で形成され、前記保持片が弾性力により前記フレームを挟着するよう構成されている。
上記のように構成された本発明の光ヘッドアクチュエータによれば、アクチュエータカバーが弾性体により構成されているため、アクチュエータカバーはフレームに対して強固な保持力を有し、組立性をさらに向上させることができる。
【００１０】
また、本発明に係る光ヘッドアクチュエータは、前記アクチュエータカバーの保持片に外側に湾曲した湾曲部を設けている。
上記のように構成された本発明の光ヘッドアクチュエータによれば、アクチュエータカバーの保持片に湾曲部が形成されているため、アクチュエータカバーはフレームに対して強固な保持力を有する。
【００１１】
【発明の実施の形態】
以下、本発明の光ヘッドアクチュエータの好適な実施例について、添付の図面を参照しつつ説明する。
【００１２】
《実施例１》
本発明に係る実施例１の光ヘッドアクチュエータについて図１及び図２を参照しつつ説明する。図１は、本発明に係る実施例１の光ヘッドアクチュエータの分解斜視図である。
図１において、金属等、例えば鋼鈑により形成された固定ベース１に支持手段であるサスペンションワイヤ５の一端を固定して保持するサスペンションホルダー４が固着されている。サスペンションワイヤー５の他端には、樹脂成型により形成されたレンズホルダー３が取り付けられている。レンズホルダー３はサスペンションワイヤー５によりフォーカス方向とトラッキング方向へ変位可能に保持されている。
【００１３】
レンズホルダー３には、ディスク状記録媒体に光学的に情報を記録再生するための光出力を収束させるレンズ２が装着されている。また、レンズホルダー３にはサーボ信号によリ磁界を発生するフォーカスコイル６とトラッキングコイル７が巻装されている。図１に示すように、２つのマグネット８ａ、８ｂがフォーカスコイル６とトラッキングコイル７に近接して配置され、固定ベース１に固着されている。
【００１４】
図１に示すように、レンズホルダー３を取り囲むようにＵ字状のフレーム１２が設けられている。固定ベース１に固着されたＵ字状のフレーム１２の一方の端部近傍にはフレーム嵌合孔１２ａが形成されており、その対角の位置にも同様のフレーム嵌合孔１２ｂが形成されている。さらに、Ｕ字状のフレーム１２の他方の端部近傍には外側に突出したフレーム突起１２ｄが形成されている。また、図１に示すように、フレーム１２においてフレーム突起１２ｄの対角の位置に同様のフレーム突起１２ｃが形成されている。これらのフレーム突起１２ｃ、１２ｄは、フレーム１２のプレス加工により形成されている。
【００１５】
上記フレーム１２に装着されるアクチュエータカバー１１には、図１において下方に導出した足状の４つの保持片２０ａ、２０ｂ、２０ｃ、２０ｄが形成されている。これらの保持片２０ａ、２０ｂ、２０ｃ、２０ｄのうち対角の位置に形成された保持片２０ａ、２０ｂには、前記フレーム１２のフレーム嵌合孔１２ａ、１２ｂのそれぞれと嵌合する保持片突起１１ａ、１１ｂが形成されている。また、他の対角の位置に形成された保持片２０ｃ、２０ｄには、フレーム突起１２ｃ、１２ｄのそれぞれと嵌合する保持片嵌合孔１１ｃ、１１ｄが形成されている。また、対角の位置にある２つの保持片２０ｃ、２０ｄの先端部には、フレーム１２への取り付け時に、フレーム突起１２ｃ、１２ｄを乗り越えて挿入しやすいようにテーパー状に外方に折り曲げた折曲部が形成されている。
【００１６】
以上のように構成された実施例１の光ヘッドアクチュエータの動作について説明する。
実施例１の光ヘッドアクチュエータには、ディスク状記録媒体に光学的に情報を記録再生するためには、レンズ２により光出力を収束させ、かつ情報に的確に追従させるため、レンズ２をフォーカス方向及びトラッキング方向へ微少に変位させて制御する駆動部が設けられている。
【００１７】
レンズホルダー３には、フォーカスコイル６とトラッキングコイル７が巻装されており、これらのフォーカスコイル６とトラッキングコイル７にサーボ信号を入力することにより、磁界を発生させている。フォーカスコイル６とトラッキングコイル７の磁界とこれらに近接して配置されたマグネット８ａ、８ｂの磁界との相互作用による吸引力、反発力によりフォーカス方向やトラッキング方向へのレンズホルダー３の位置移動を制御している。
図１に示すように、レンズホルダー３やその駆動部は、外部からの塵や金属の接触等を避けるため、フレーム１２とアクチュエータカバー１１により取り囲まれており、側面をフレーム１２により、上面をアクチュエータカバー１１により被覆されている。
【００１８】
次に、実施例１におけるフレーム１２とアクチュエータカバー１１との取り付け状態の詳細について図２を参照しつつ説明する。図２は、実施例１のフレーム１２とアクチュエータカバー１１との取り付け部を拡大して示した断面図である。図２の（ａ）は図１に示した２つの保持片２０ａ、２０ｄを含むアクチュエータカバー１１の断面を示している。図２の（ｂ）は図１に示した２つの保持片２０ｂ、２０ｃを含むアクチュエータカバー１１の断面を示している。
図２の（ａ）に示すように、アクチュエータカバー１１の保持片２０ａに形成された保持片突起１１ａは球面状に内側に突出するよう構成されており、この保持片突起１１ａと嵌合するフレーム嵌合孔１２ａは、保持片突起１１ａの外径より僅かに小さく加工されている。このため、アクチュエータカバー１１の保持片２０ａは、フレーム１２に対してガタ付くことなく密着して確実に保持される。
【００１９】
一方の保持片２０ｄには角穴の保持片嵌合孔１１ｄが形成されている。なお、実施例１では保持片嵌合孔１１ｄを角孔に形成したが丸孔でもよい。この保持片嵌合孔１１ｄの内径は、フレーム１２に設けられたフレーム突起１２ｄの外径より僅かに小さく形成されている。このため、アクチュエータカバー１１の保持片２０ｄは、フレーム１２に対してガタ付くことなく密着されて確実に保持される。図１に示すように、フレーム突起１２ｄの形状は、ほぼ円柱状に形成されているため、保持片２０ｄがフレーム突起１２ｄの先端を乗り越えて保持片２０ｄの保持片嵌合孔１１ｄがフレーム突起１２ｄにより挿入されると、嵌合状態となり、挿入してきた方向に対して外れにくい構成である。
【００２０】
同様に、図２の（ｂ）に示すように、アクチュエータカバー１１の保持片２０ｂには、球面状に内側に突出した保持片突起１１ｂが形成されている。この保持片突起１１ｂと嵌合するフレーム嵌合孔１２ｂの内径は、保持片突起１１ｂの外径より僅かに小さく形成されている。このため、保持片突起１１ｂはフレーム嵌合孔１２ｂに対してガタ付くことなく密着して確実に保持される。一方、保持片２０ｃには角穴の保持片嵌合孔１１ｃが形成されており、この保持片嵌合孔１１ｃの内径は、フレーム１２に設けられたフレーム突起１２ｃの外径より僅かに小さく形成されている。このため、保持片２０ｃはフレームに対してガタ付くとこなく密着して確実に保持される。
【００２１】
以上のように実施例１の光ヘッドアクチュエータにおいて、フレーム１２とアクチュエータカバー１１を取り付けるために、アクチュエータカバー１１の対角方向に配置された保持片に突起又は嵌合孔を形成し、これらの保持片に相対するフレームに嵌合孔又は突起を形成して、それぞれが嵌合するよう構成されている。
その結果、アクチュエータカバー１１はフレーム１２に確実に保持され、実施例１の光ヘッドアクチュエータは耐衝撃に対して強く、かつガタ付くことがない。
実施例１の光ヘッドアクチュエータにおいては、フレーム突起１２ｃ、１２ｄ及び保持片突起１１ａ、１１ｂの高さを板厚程度に低く形成することができるため、組立時においてアクチュエーターカバー１１の保持片２０ａ、２０ｂ、２０ｃ、２０ｄを大きく変形させることなくフレーム１２に取り付けることが可能となる。この結果、実施例１の光ヘッドアクチュエータは、組立の作業性が向上し、量産品に適した構造となる。
【００２２】
《実施例２》
次に、本発明に係る実施例２の光ヘッドアクチュエータについて添付の図３と図４を参照しつつ説明する。図３は、本発明に係る実施例２の光ヘッドアクチュエータを示す斜視図である。
実施例２の光ヘッドアクチュエータは、前述の実施例１の光ヘッドアクチュエータにおけるアクチュエータカバー１１のみが異なるものであり、他の構成は同じである。従って、実施例１と同一部分には同一符号を付して説明は省略する。
【００２３】
実施例２の光ヘッドアクチュエータにおけるアクチュエータカバー１３は、その形成材料としてリン青銅等の弾性力を有するバネ材を用いている。このため、アクチュエーターカバー１３の保持片２１ａ、２１ｂ、２１ｃ、２１ｄが弾性力を有しているので、アクチュエーターカバー１３をフレーム１２に取り付けるとき、前述の実施例１と同じように、保持片２１ａ、２１ｂ、２１ｃ、２１ｄを互いに広げるように変形させてフレーム１２に取り付けても、各保持片２１ａ、２１ｂ、２１ｃ、２１ｄは確実に復元する。
【００２４】
図３に示すように、アクチュエーターカバー１３が取り付けられたフレーム１２において、フレーム１２のフレーム突起１２ｃと保持片２１ｃの保持片嵌合孔１３ｃが嵌合し、フレーム嵌合孔１２ａと保持片２１ａの保持片突起１３ａが嵌合している。実施例２の光ヘッドアクチュエータでは、フレーム１２に対して各保持片２１ａ、２１ｂ、２１ｃ、２１ｄが密着した状態で取り付けられており、各保持片２１ａ、２１ｂ、２１ｃ、２１ｄは弾性力を有しているため、復元力があり、フレーム１２に対する加圧力が常に作用している。これにより、実施例２におけるアクチュエーターカバー１３はフレーム１２に対して強い保持力を有しており、信頼性の高い光ヘッドアクチュエータを構成することができる。
【００２５】
図４は、実施例２の別の実施形態を示す光ヘッドアクチュエータにおけるアクチュエータカバーのみを示す斜視図である。図４に示したアクチュエータカバー１４は、各保持片２２ａ、２２ｂ、２２ｃ、２２ｄにおけるアクチュエータカバー１４の平坦部分（図４の上側部分）に続く位置に外側に湾曲した湾曲部１４ａ、１４ｂ、１４ｃ、１４ｄが形成されている。このように、図４に示したアクチュエータカバー１４に湾曲部１４ａ、１４ｂ、１４ｃ、１４ｄが形成されているため、各保持片２２ａ、２２ｂ、２２ｃ、２２ｄは弾性力の強いバネ性を有している。この結果、前述の実施例２の保持片よりさらに強い保持力を有するよう構成することができる。
【００２６】
なお、以上に説明した実施例１及び実施例２の光ヘッドアクチュエーターでは、いずれも固定ベース１にフレーム１２を取り付け、このフレーム１２に対してアクチュエータカバー１１、１３、１４を装着する例で説明した。しかし、本発明はこの例に限定されるものではなく、固定ベースとフレームとを一体に形成して、そのフレームの側壁に前述したフレーム突起やフレーム嵌合孔を設けるよう構成することもできる。
また、本発明の光ヘッドアクチュエータにおいては、フレームとアクチュエータカバーを磁性材で形成し、光ヘッドアクチュエータの外部との磁気遮断を行うよう構成することもできる。
【００２７】
【発明の効果】
以上、実施例について説明したところから明らかなように、本発明は次の効果を有する。
本発明によれば、アクチュエータカバーの対角方向に形成された保持片にアクチュエータカバー側の内側に球面状に突出する保持片突起及び保持片嵌合孔を形成し、これらの保持片に相対するフレームに保持片突起が嵌合し保持片突起の球面状の外径より小さいフレーム嵌合孔及び保持片嵌合孔に嵌合するフレーム突起を形成した構成を有しているため、アクチュエータカバーがフレームに対して確実に保持され、耐衝撃に対して強く、ガタ付くことがない信頼性の高い光ヘッドアクチュエータを得ることができる。
【図面の簡単な説明】
【図１】本発明の実施例１の光ヘッドアクチュエータを示す分解斜視図である。
【図２】本発明の実施例１の光ヘッドアクチュエータにおけるフレーム１２とアクチュエーターカバー１１との取り付け状態を示す拡大断面図である。
【図３】本発明の実施例２の光ヘッドアクチュエータを示す斜視図である。
【図４】本発明の実施例２の光ヘッドアクチュエータにおけるアクチュエータカバーの別の実施形態を示す斜視図である。
【図５】従来の光ヘッドアクチュエータを示す分解斜視図である。
【符号の説明】
１    固定ベース
２    レンズ
３    レンズホルダー
４    サスペンションホルダー
５    サスペンションワイヤ
６    フォーカスコイル
７    トラッキングコイル
８ａ  マグネット
８ｂ  マグネット
９    フレーム
１１    アクチュエータカバー
１１ａ  保持片突起
１１ｂ  保持片突起
１１ｃ  保持片嵌合孔
１１ｄ  保持片嵌合孔
１２    フレーム
１２ａ  フレーム嵌合孔
１２ｂ  フレーム嵌合孔
１２ｃ  フレーム突起
１２ｄ  フレーム突起
【図１】
0003637231.tif 000002
【図２】
0003637231.tif 000003
【図３】
0003637231.tif 000004
【図４】
0003637231.tif 000005
【図５】
0003637231.tif 000006